(57)【要約】【課題】  扱胴を軸支した上部脱穀ケースを、選別部を備えた下部脱穀ケースに対して上方に揺動開放可能に連結し、上部脱穀ケースを下降させた作業位置に固定するロック機構を上部脱穀ケースに備えた操作具によって解除可能に構成した脱穀装置において、ロック構造の簡素化によって上部脱穀ケースの持上げ揺動負荷を軽減するともに、コスト低減にも寄与することができるようにする。【解決手段】  上部脱穀ケース３１の遊端側に、上部脱穀ケース３１の前後長さに亘ってフレーム杆４１を回動自在に支架し、このフレーム杆４１を操作具４０の操作によって回動操作されるよう連動連結し、下部脱穀ケース３２の排ワラ通過経路を迂回して下部脱穀ケー３２スの後部に設けられた下部フレーム４６に係脱されるロック具４３を上部脱穀ケース３１側に装備し、このロック具４３をフレーム杆４１の回動に連動して係脱操作されるように構成する。【選択図】        図５
2005245241.tif 000002
【特許請求の範囲】
【請求項１】
扱胴を軸支した上部脱穀ケースを、選別部を備えた下部脱穀ケースに対して上方に揺動開放可能に連結するとともに、前記上部脱穀ケースを下降させた作業位置に固定するロック機構を、上部脱穀ケースに備えた操作具によって解除可能に構成した脱穀装置において、
前記上部脱穀ケースの遊端側に、上部脱穀ケースの前後長さに亘ってフレーム杆を回動自在に支架し、このフレーム杆を前記操作具の操作によって回動操作されるよう連動連結し、
下部脱穀ケースの排ワラ通過経路を迂回して下部脱穀ケースの後部に設けられた下部フレームに係脱されるロック具を上部脱穀ケース側に装備し、このロック具を前記フレーム杆の回動に連動して係脱操作されるように構成してあることを特徴とする脱穀装置。
【請求項２】
前記ロック具を前記フレーム杆の後部に連結固定してあることを特徴とする請求項１記載の脱穀装置。
【請求項３】
前記ロック具が前記下部フレームに下部脱穀ケースの内側から係合するよう前記フレーム杆の回動方向とロック方向とを設定してあることを特徴とする請求項１または２記載の脱穀装置。
【請求項４】
前記フレーム杆をロック方向に回動付勢するバネを装着してあることを特徴とする請求項１〜３のいずれか一項に記載の脱穀装置。
【請求項５】
前記フレーム杆の正逆回動によって前記バネが付勢方向を反転するよう構成してあることを特徴とする請求項４記載の脱穀装置。
【発明の詳細な説明】
【技術分野】
【０００１】
本発明は、扱胴を軸支した上部脱穀ケースを、選別部を備えた下部脱穀ケースに対して上方に揺動開放可能に連結するとともに、上部脱穀ケースを下降させた作業位置に固定するロック機構を、上部脱穀ケースに備えた操作具によって解除可能に構成し、上部脱穀ケースを扱胴ごと上方に開放することで、扱室に備えられた受網の清掃、脱着、および、扱室下方の選別部の清掃、等を容易に行えるようにした脱穀装置に関する。
【背景技術】
【０００２】
上記構成の脱穀装置としては、例えば、特許文献１に開示されているように、上部機体１５の遊端側に、上部機体１５の前後長さに亘って角パイプ製の機体フレーム部分３３を固定支架し、この機体フレーム部分３３を上部機体１５よりも後方にまで延出し、この機体フレーム部分３３の延出部分に沿って連動軸３３を回動可能に支持するとともに、この連動軸３３の後端部にフック状のロック具２３を取り付け、上部機体１５を下降させた作業位置に固定する扱室前後のロック機構を操作する取っ手２８ａの操作によって連動軸３３が回動操作されるように取っ手２８ａと連動軸３３とを連動連結し、下部機体１５の排ワラ通過経路を迂回して下部機体１５の後部に設けられた連結フレーム３１に、前記ロック具２３が係脱されるように構成し、ロック具２３のロック解除方向への操作で連動軸３３を回動させてロック具２３を連結フレー３１から離脱させ、ロック具２３のロック方向への操作で連動軸３３を逆方向に回動させてロック具２３を連結フレーム３１に係合させるように構成されたものが開発され実用化されている。
【特許文献１】特開平７−２７４６７８号公報
【発明の開示】
【発明が解決しようとする課題】
【０００３】
上記従来構造によると、上部機体を作業姿勢に固定する扱室前後のロック機構を取っ手によって切換え操作することに連動して、脱穀装置後部での上部機体のロック操作およびロック解除操作を行うことができ、上部機体を強固に作業姿勢に固定することができるものであるが、上下揺動する上部機体に上部機体よりも後方に大きく延出された前後に長い機体フレーム部分が配備されるとともに、この延出部分に沿って連動軸が支架されるために、上部機体の重量が大きくなるものであった。特に、機体フレーム部分および連動軸が上部機体の遊端側での重量増加は上部機体の自重による下方への揺動モーメントの増大に大きく影響し、取っ手を持っての上部機体の持上げに大きい力が必要となるものであった。また、持上げ補助用のガススプリンを導入することで、作業者の持上げ負荷の負担を軽減しているが、充分な負荷軽減を図るために付勢力の強い大型のガススプリンを使用しなければならず、コストアップの一因にもなるものであった。
【０００４】
本発明は、このような点に着目してなされたものであって、ロック構造の簡素化によって上部機体（上部脱穀ケース）の持上げ揺動負荷を軽減するともに、コスト低減にも寄与することのできる開閉式の脱穀装置を提供することを主たる目的としている。
【課題を解決するための手段】
【０００５】
第１の発明は、扱胴を軸支した上部脱穀ケースを、選別部を備えた下部脱穀ケースに対して上方に揺動開放可能に連結し、前記上部脱穀ケースを下降させた作業位置に固定するロック機構を、上部脱穀ケースに備えた操作具によって解除可能に構成した脱穀装置において、
前記上部脱穀ケースの遊端側に、上部脱穀ケースの前後長さに亘ってフレーム杆を回動自在に支架し、このフレーム杆を前記操作具の操作によって回動操作されるよう連動連結し、
下部脱穀ケースの排ワラ通過経路を迂回して下部脱穀ケースの後部に設けられた下部フレームに係脱されるロック具を上部脱穀ケース側に装備し、このロック具を前記フレーム杆の回動に連動して係脱操作されるように構成してあることを特徴とする。
【０００６】
上記構成によると、フレーム杆は上部脱穀ケースにおける遊端側の強度を確保する部材であるとともに、脱穀装置後部において上部脱穀ケースを下部脱穀ケースに固定するロッ具の操作軸として機能する。
【０００７】
従って、第１の発明によると、ロック機構を切換え操作する操作具に連動してロック具を揺動させる専用の操作軸が不要となり、その分、上部脱穀ケースの軽量化および部品点数の節減を図ることができ、上部脱穀ケースの持上げ揺動負荷を軽減するとともに、コスト低減にも有効となる。
【０００８】
第２の発明に係る脱穀装置は、上記第１の発明において、
前記ロック具を前記フレーム杆の後部に連結固定してあることを特徴とする。
【０００９】
上記構成によると、フレーム杆の強度がそのままロック具の支点強度となり、第１の発明の上記効果をもたらすとともに、脱穀装置後部におけるロック強度が高いものとなる。
【００１０】
第３の発明に係る脱穀装置は、上記第１または２の発明において、
前記ロック具が前記下部フレームに下部脱穀ケースの内側から係合するよう前記フレーム杆の回動方向とロック方向とを設定してあることを特徴とする。
【００１１】
上記構成によると、ロック解除方向に作動したロック具が上部脱穀ケースの内側に退入変位することになるので、脱穀装置外側に立った作業者は、ロック具に接触しないように気を付ける必要なく上部脱穀ケースを持上げ揺動操作することができ、第１または２の発明の上記効果をもたらすとともに、取扱い性にも優れたものとなる。
【００１２】
第４の発明に係る脱穀装置は、上記第１〜３のいずれか一つの発明において、
前記フレーム杆をロック方向に回動付勢するバネを装着してあることを特徴とする。
【００１３】
上記構成によると、ロック具の操作軸であるフレーム杆を回動付勢するので、フレーム杆をこじり少なく付勢回動させてロック具に確実にロック付勢力を伝達することができ、第１〜３のいずれか一つの発明の上記効果をもたらすとともに、脱穀装置後部におけるロック具に確実なロック機能を発揮させることができる。
【００１４】
第５の発明に係る脱穀装置は、上記第４の発明において、
前記フレーム杆の正逆回動によって前記バネが付勢方向を反転するよう構成してあることを特徴とする。
【００１５】
上記構成によると、上部脱穀ケースが作業位置にロックされている状態で操作具が一旦ロック解除方向に操作されると、フレーム杆の回動に伴うバネの反転によってロック具はロック方向への付勢状態からロック解除方向への付勢状態に切換え保持されるので、持上げかけた上部脱穀ケースが不用意下がっても装置後部でロック具による自動ロック作動が行われることはなく、ロック解除操作を要することなくそのまま再び上部脱穀ケースを持上げることができる。
【００１６】
逆に、上部脱穀ケースが開放されている状態で操作具がロック方向に操作されると、フレーム杆の回動に伴うバネの反転によってロック具はロック解除方向への付勢状態からロック方向への付勢状態に切換え復帰され、上部脱穀ケースが所定の作業位置まで下げられると、ロック方向への付勢されているロック具は自動ロック作動する。
【００１７】
従って、第５の発明によると、第４の発明の上記効果をもたらすとともに、上部脱穀ケースの持上げ開放時のロックア解除操作、および、下降時におけるロック操作が容易となる。
【発明を実施するための最良の形態】
【００１８】
図１に脱穀装置の縦断した側面図、図２にその正面が、また、図３にその後面がそれぞれ示されている。この脱穀装置は、コンバインに搭載されて使用されるものであって、図１において図外左方に配備された刈取り部で刈取られて横倒れ姿勢で搬送されてきた刈取り穀稈をフィードチェーン１で受取り、その穂部を扱室２に挿入した状態で図中左方から右方に通過搬送することで、扱室２に前後水平に軸支した扱胴３によって脱穀処理し、穀稈から分離した処理物を扱室下部に沿って張設した受網４で選別し、受網４を漏下した細かい処理物を扱室２の下方に配備された揺動選別部５の前半部に落下供給するとともに、受網４を漏下しなかった大きい処理物を扱室終端の送塵口６から搬出して揺動選別部５の中間部に落下供給し、揺動選別部５に落下供給された処理物を前後に長い揺動選別ケース７で受け止め、載置した処理物を後方（図では右方）に向けて揺動搬送しながら粗選別用の前部チャフシーブ８、精選別用のグレンシーブ９、ほぐし用の選別ラック１０、後部チャフシーブ１１、ストローラック１２、などを利用して篩い選別するとともに、選別部前端部に備えた唐箕１３から後方上方に向けて供給された選別風を吹き付けて風選処理し、グレンシーブ９から漏下した穀粒を１番回収部１４に選別回収するとともに、後部チャフシーブ１１やストローラッ１２から漏下した２番物を２番回収部１５に選別回収し、１番回収部１４に回収した穀粒を１番スクリュー１６によって機外にまで横送りした後スクリュー式の揚穀装置１７によって揚送して穀粒タンクなどの回収部に供給し、２番回収１５に回収した２番物を２番スクリュー１８によって横送りした後、スクリュー式の２番還元装置１９によって揚送し、揺動選別ケース７に還元供給して再選別処理を行うように構成されている。
【００１９】
また、扱室２の後方で揺動選別部５の後部上方箇所には、排ワラ搬送経路の下側に位置させて横断流ファンからなる排塵ファン２０が横架されており、扱室２の終端に形成された送塵口６から吹き出てきた浮塵やワラ屑、選別風によって揺動選別部５の後部上方に吹き上げられた浮塵やワラ屑が排塵ファン２に吸引されて強制的に機体後方に排出されるようになっている。また、前記排塵ファン２０の上方には排ワラ搬送装置２１が配備されており、扱室２から搬出されてきた横倒れ姿勢の排ワラが後方かつ穂先側に向けて斜め搬送され、脱穀装置後端に装着される排ワラカッタや排ワラ結束装置などの排ワラ処理装置に供給されるようになっている。
【００２０】
図１０，１１に示すように、前記揚穀装置１７は、鉛直に立設された搬送筒１７ａに１番スクリュー１６に連動連結された縦スクリュー１７ｂを内装したスクリューコンベアで構成されており、揚送された穀粒が縦スクリュー１７ｂの上端に設けた排出羽根１７ｃによって排出口１７ｄから跳ね出されるようになっている。また、搬送筒１７ａには、縦スクリュー１７ｂの羽根傾斜角と略同じ角度で多数のスリット２２が螺旋状に形成されており、揚送される穀粒の枝梗がスリット２２に引っ掛かって除去されるようになっている。
【００２１】
なお、枝梗除去用の前記スリット２２は、例えば、図１２（イ）に示すように、揚送方向と直交するように横向きに形成したり、あるいは、１２（ロ）に示すように、揚送方向に沿って縦向きに形成して実施することもできる。また、前記２番還元装置１９に上記のような枝梗除去機能を備えておくもよい。
【００２２】
上記のように構成された脱穀装置は、扱室の清掃、受網の清掃、および、揺動選別部の清掃、等を容易に行えるように開閉自在に呼応製されている。
【００２３】
つまり、この脱穀装置のケースは、穀稈が通過する扱口３０を境にして上部脱穀ケース３１と下部脱穀ケース３２とに分割されるとともに、上部脱穀ケース３１が動力伝達用のカウンター軸３３が配備された前後向きの軸心Ｐを中心にして上下揺動可能に下部脱穀ケース３２に枢支連結されている。
【００２４】
上部脱穀ケー３１における扱室２を構成する前後の側板３１ｆ，３１ｒに亘って前記扱胴３が軸支されるとともに、上部脱穀ケース３１の扱口３０側の外面、つまり、遊端部の外面には前記フィードチェーン１に対向する挟持レール２３が装備されている。他方、下部脱穀ケース３２の内部には前記揺動選別部５が収容配備されるとともに、前記扱胴２に下方から対向する受網４が脱着自在に装着され、かつ、扱口３０側の外面に前記フィードチェーン１が装備されている。そして、上部脱穀ケース３１の持上げ揺動を補助するために、上部脱穀ケース３１の前後の側板３１ｆ，３１ｒと下部脱穀ケース３２の前後の側板３２ｆ，３２ｒとに亘ってガススプリング３４，３５が架設され、上部脱穀ケース３１の重量の一部をこれらガススプリング３４，３５で負担するように構成されている。
【００２５】
揺動開閉可能な前記上部脱穀ケース３１を下降揺動させた作業位置に固定するロック構造が以下のように構成されている。
【００２６】
上部脱穀ケース３１における前後の側板３１ｆ，３１ｒには、扱胴軸心近くの前後向きの支点ａ周りに揺動可能なロックレバー３６，３７が装着されるとともに、下部脱穀ケース３２における前後の側板３４ｆ，３４ｒには、前記ロックレバー３６，３７の先端に形成したフック部３６ａ，３７ａが係合されるロックピン３８，３９が設けられている。前後の各ロックレバー３６，３７の操作端は扱口３０の上方外方にまで延出されて、操作グリップ（操作具）４０で互いに連結され、操作グリップ４０を上下に操作することで前後両ロックレバー３６，３７のフック部３６ａ，３７ａをロックピン３８，３９に係脱させることができるようになっている。
【００２７】
従って、操作グリップ４０を引き降ろして上部脱穀ケース３１を所定の作業位置にまで降ろすと、前後両ロックレバー３６，３７のフック部３６ａ，３７ａがロックピン３８，３９に係合させたロック状態がもたらされ、また、操作グリップ４０を持上げ操作すると、先ず、前後両ロックレバー３６，３７のフック部３６ａ，３７ａがロックピン３８，３９から離脱されてロック解除状態がもたらされ、引き続き操作グリップ４０を持上げ操作することで上部脱穀ケース３１を大きく上方に開放揺動させることができる。
【００２８】
上部脱穀ケース３１における遊端側には、丸パイプ材からなるフレーム杆４１が上部脱穀ケース３１の前後端に位置して配備した前後一対のブラケット４２を介して回動可能、かつ、前後方向に移動不能に支架されている。そして、フレーム杆４１は上部脱穀ケースより後方にまで大きく延出されるとともに、その延出端近くにフック状のロック具４３が位置調節自在に取付け固定されている。
【００２９】
また、フレーム杆４１には前後一対の操作アーム４４が突設されるとともに、各ロックレバー３６，３７に枢支連結された連係リンク４５と各操作アーム４４とが枢支連結され、ロックレバー３６，３７の上下揺動に連動してフレーム杆４１が正逆に回動されるようになっている。
【００３０】
他方、下部脱穀ケース３２における後半部の上部には、排ワラ通過経路を迂回して屈曲された丸パイプ材からなる下部フレーム４６が固設されており、前記フレーム杆４１の後端部に設けたロック具４３が下部フレーム４６に係合するように構成されている。
【００３１】
図６，７に示すように、下部フレーム４６には位置決め用の案内部材４７が固着されており、前記ロック具４３は案内部材４７に形成された先拡がりのスリット４８で案内されて、下部フレーム４６の所定位置に下部脱穀ケース３２の内側から前後への位置ずれなく正しく係合されるようになっている。
【００３２】
また、フレーム杆４１の操作アーム４４と連係リンク４５との枢支連部ピン４９とブラケット４２とに亘ってバネ５０が張設され、このバネ５０の張力によってフレーム杆４１に回動付勢力が付与されるとともに、フレーム杆４１の回動によって枢支連部ピン４９が移動することで、フレーム杆４１に付与される回動付勢力の方向が反転するようになっている。
【００３３】
つまり、図２，図９（イ）に示すように、上部脱穀ケース３１が作業位置に下降されてロックレバー３６，３７がロック状態にある時には、フレーム杆４１はロック具４３が下部フレーム４６に係合するロック方向に回動付勢されているが、操作グリップ４０を持上げてロックレバー３６，３７を一旦ロック解除方向に操作すると、図４，図９（ロ）に示すように、前記枢支連結ピン４９が死点を上方に越えることでバネ５０によるフレーム杆４１の付勢回動方向が反転してロック解除方向となり、操作グリップ４０を引き降ろさない限りフレーム杆４１のロック解除付勢状態が維持される。
【図面の簡単な説明】
【００３４】
【図１】脱穀装置の縦断側面図
【図２】脱穀装置の正面図
【図３】脱穀装置の扱室後面図
【図４】扱室開放状態の正面図
【図５】フレーム構造の斜視図
【図６】ロック構造操作部の後面図
【図７】ロック構造の分解斜視図
【図８】ロック構造操作部およびロック構造を示す後面図
【図９】ロック構造操作部の正面図
【図１０】揚穀装置の縦断正面図
【図１１】揚穀装置の側面図
【図１２】別実施例の揚穀装置を示す側面図
【符号の説明】
【００３５】
３              扱胴
５              選別部
３１            上部脱穀ケース
３２            下部脱穀ケース
４０            操作具
４１            フレーム杆
４３            ロック具
４６            下部フレーム
５０            バネ
【図１】
2005245241.tif 000003
【図２】
2005245241.tif 000004
【図３】
2005245241.tif 000005
【図４】
2005245241.tif 000006
【図５】
2005245241.tif 000007
【図６】
2005245241.tif 000008
【図７】
2005245241.tif 000009
【図８】
2005245241.tif 000010
【図９】
2005245241.tif 000011
【図１０】
2005245241.tif 000012
【図１１】
2005245241.tif 000013
【図１２】
2005245241.tif 000014